(57)【要約】【課題】固定部側に対する支持箇所を最少数とし、全体を軽量化できるとともに、十分な強度を確保でき、分解除去を容易に行える床装置を提供する。【解決手段】型材状に形成した上位横行部材１２ならびに下位横行部材１３と、横行部材１２，１３間に配置した複数の連結部材２４によりトラス体１１を構成した。トラス体１１は、両端部に設けた支持手段５１を介して固定部５側に支持するとともに、間隔Ｌを隔てて複数を配設した。トラス体１１間に複数のビーム体７１を架け渡し、この上方に床面９２ａを構成した。固定部側に対する支持箇所を最少数にでき、床面に掛かる振動をトラス体群により吸収して遮音効果を期待できる。型材状に形成した上位横行部材ならびに下位横行部材と複数の連結部材によりトラス体を構成したことで、全体を軽量化でき、十分な強度を確保できる。【選択図】図１
2004162520.tif 000002
【特許請求の範囲】
【請求項１】
型材状に形成された上位横行部材ならびに下位横行部材と、両横行部材間に配置される複数の連結部材とによりトラス体が構成され、このトラス体は、長さ方向の両端部に設けられた支持手段を介して固定部側に支持されるとともに、間隔を隔てて複数が配設され、隣接されるトラス体間に複数のビーム体が架け渡され、この上方に床面が構成されることを特徴とする床装置。
【請求項２】
隣接されるトラス体の上位横行部材間に亘って複数のビーム体が架け渡されることを特徴とする請求項１記載の床装置。
【請求項３】
支持手段は、固定部側の上向き面に支持されることを特徴とする請求項１または２記載の床装置。
【請求項４】
支持手段は、固定部側の横向き面に設けられた受け体を介して支持されることを特徴とする請求項１または２記載の床装置。
【請求項５】
トラス体の長さ方向の両端部には、固定部側の横向き面に対向される長さ方向規制手段が設けられ、この長さ方向規制手段は横向き面に当接可能に構成されていることを特徴とする請求項１〜４のいずれか１項に記載の床装置。
【請求項６】
トラス体の長さ方向の両端部には、固定部側の横向き面に対向される長さ方向規制手段が設けられ、この長さ方向規制手段は緩衝部材を介して横向き面に当接可能に構成され、支持手段は、緩衝部材を介して固定部側に支持されることを特徴とする請求項１〜４のいずれか１項に記載の床装置。
【請求項７】
上位横行部材と下位横行部材とは、相対向される一対の側板と、これら側板の外端間に直角状で位置される外板と、両側板の内端から相対向する方向に接近された左右一対の内板と、これら内板の内端から内方に延ばされた左右一対の連結板とにより、両連結板間に挿入部を有する状態で型材状に形成されるとともに、挿入部を上下方向において相対向させて配置され、連結部材は傾斜状として、その端が挿入部に差し込まれて連結具により連結板に連結されることを特徴とする請求項１〜６のいずれか１項に記載の床装置。
【請求項８】
上位横行部材には、矩形貫通孔状の係合部が長さ方向で所定間隔置きに複数形成され、ビーム体の両端には、前記係合部に対して上方向から係脱可能な連結部が設けられていることを特徴とする請求項１〜７のいずれか１項に記載の床装置。
【請求項９】
共通の複数のトラス体が、長さ方向において直線状に位置され、相対向された端部間が接続手段により接続されていることを特徴とする請求項１〜８のいずれか１項に記載の床装置。
【請求項１０】
複数のトラス体が、長さ方向において直線状に位置され、相対向された端部間が接続手段により接続され、連結部材は、前記接続手段により接続されたトラス体間に亘って、上位横行部材と下位横行部材との間に配置されていることを特徴とする請求項１〜９のいずれか１項に記載の床装置。
【請求項１１】
複数のトラス体が、長さ方向において直線状に位置され、相対向された端部間が接続手段により接続され、この接続手段は、上位横行部材の相対向された端部間を接続する上位接続体と、下位横行部材の相対向された端部間を接続する下位接続体とからなり、上位接続体と下位接続体とが、トラス体の長さ方向において位置をずらせて配設されていることを特徴とする請求項１〜１０のいずれか１項に記載の床装置。
【請求項１２】
トラス体は、梁間の長さに対応してトラス幅が異なる複数種が準備され、選択して使用されることを特徴とする請求項１〜１１のいずれか１項に記載の床装置。
【請求項１３】
型材状に形成された上位横行部材ならびに下位横行部材と、両横行部材間に配置される複数の連結部材とによりトラス体が構成され、このトラス体は間隔を隔てて複数が配設されるとともに、隣接されるトラス体間に亘って複数のビーム体が設けられ、この上方に床面が形成されることで床装置が構成され、この床装置は多層階の各階において、前記トラス体の長さ方向の両端部のみに設けられた支持手段を介して、小梁のない構造物側に支持されることを特徴とする床装置を組み込んだ高層住宅。
【発明の詳細な説明】
【技術分野】
【０００１】
本発明は、たとえば高層住宅や家屋などに採用されるもので、上方に床面が形成される床装置および床装置を組み込んだ高層住宅に関するものである。
【背景技術】
【０００２】
従来、この種の床装置としては、鉄製の上弦材と、鉄製の下弦材と、これら上弦材と下弦材とを接合する複数本の鉄製の束材および腹材とにより大引を構成し、そして上弦材の両端に固着した端部固定用プレートを介して布基礎に固定するとともに、下弦材の両端を布基礎に設けられた束石に連結固定し、その後に、上弦材の上に床材を載置する構成が提供されている（たとえば、特許文献１参照。）。
【特許文献１】特開平５−８６７１４号公報（第２−３頁、図１）
【特許文献２】実願昭５６−１６２４０３号（実開昭５８−６７０２６号）のマイクロフィルム
【特許文献３】特開２００１−２９５４０２号公報
【発明の開示】
【発明が解決しようとする課題】
【０００３】
しかし、上記した従来の構成によると、布基礎側に対する固定箇所（支持箇所）が、上弦材の両端と下弦材の両端との多数箇所であり、しかもコンクリートからなる束石を設けることから、全体構成が複雑にかつ重量大になるとともに高価になる。しかも、固定箇所が多数であることにより、騒音が伝わり易く、さらに直接の固定により地震などの振動が床材側に直に伝わることになる。
【０００４】
そこで本発明の請求項１記載の発明は、固定部側に対する支持箇所を最少数とし得、しかも全体を軽量化し得るとともに、十分な強度を確保し得、さらに分解除去を容易に行える床装置を提供することを目的としたものである。
【０００５】
また請求項１３記載の発明は、請求項１記載の床装置を好適に採用した床装置を組み込んだ高層住宅を提供することを目的としたものである。
【課題を解決するための手段】
【０００６】
前述した目的を達成するために、本発明の請求項１記載の床装置は、型材状に形成された上位横行部材ならびに下位横行部材と、両横行部材間に配置される複数の連結部材とによりトラス体が構成され、このトラス体は、長さ方向の両端部に設けられた支持手段を介して固定部側に支持されるとともに、間隔を隔てて複数が配設され、隣接されるトラス体間に複数のビーム体が架け渡され、この上方に床面が構成されることを特徴としたものである。
【０００７】
したがって請求項１の発明によると、複数のトラス体を、その両端部に設けた支持手段を介して固定部側に支持させていることで、固定部側に対する支持箇所を最少数とし得るとともに、床面に掛かる振動をトラス体群により吸収し得、しかも、型材状に形成した上位横行部材ならびに下位横行部材と複数の連結部材とによりトラス体を構成していることにより、全体を軽量化し得るとともに強度を確保し得る。
【０００８】
また本発明の請求項２記載の床装置は、上記した請求項１記載の構成において、隣接されるトラス体の上位横行部材間に亘って複数のビーム体が架け渡されることを特徴としたものである。
【０００９】
したがって請求項２の発明によると、床装置の分解除去を容易に行える。
そして本発明の請求項３記載の床装置は、上記した請求項１または２記載の構成において、支持手段は、固定部側の上向き面に支持されることを特徴としたものである。
【００１０】
したがって請求項３の発明によると、載置支持形式により地震などの振動が固定部側に伝わり難くし得る。
さらに本発明の請求項４記載の床装置は、上記した請求項１または２記載の構成において、支持手段は、固定部側の横向き面に設けられた受け体を介して支持されることを特徴としたものである。
【００１１】
したがって請求項４の発明によると、梁が形成されていない固定部に対して配設し得る。
しかも本発明の請求項５記載の床装置は、上記した請求項１〜４のいずれか１項に記載の構成において、トラス体の長さ方向の両端部には、固定部側の横向き面に対向される長さ方向規制手段が設けられ、この長さ方向規制手段は横向き面に当接可能に構成されていることを特徴としたものである。
【００１２】
したがって請求項５の発明によると、長さ方向規制手段を横向き面に当接させることによって、トラス体の長さ方向の両端部の位置を固定状に規制して、固定化（ロック化）し得る。
【００１３】
また本発明の請求項６記載の床装置は、上記した請求項１〜４のいずれか１項に記載の構成において、トラス体の長さ方向の両端部には、固定部側の横向き面に対向される長さ方向規制手段が設けられ、この長さ方向規制手段は緩衝部材を介して横向き面に当接可能に構成され、支持手段は、緩衝部材を介して固定部側に支持されることを特徴としたものである。
【００１４】
したがって請求項６の発明によると、長さ方向規制手段の緩衝部材を横向き面に当接させることによって、弾性変形による緩衝作用を持たせて位置規制を行え、さらに支持手段を、緩衝部材を介して固定部に支持させていることで、その弾性変形による緩衝作用によって、荷重支持をスムースに行えることになる。
【００１５】
そして本発明の請求項７記載の床装置は、上記した請求項１〜６のいずれか１項に記載の構成において、上位横行部材と下位横行部材とは、相対向される一対の側板と、これら側板の外端間に直角状で位置される外板と、両側板の内端から相対向する方向に接近された左右一対の内板と、これら内板の内端から内方に延ばされた左右一対の連結板とにより、両連結板間に挿入部を有する状態で型材状に形成されるとともに、挿入部を上下方向において相対向させて配置され、連結部材は傾斜状として、その端が挿入部に差し込まれて連結具により連結板に連結されることを特徴としたものである。
【００１６】
したがって請求項７の発明によると、全体を軽量化し得るとともに強度を確保し得ることになる。
さらに本発明の請求項８記載の床装置は、上記した請求項１〜７のいずれか１項に記載の構成において、上位横行部材には、矩形貫通孔状の係合部が長さ方向で所定間隔置きに複数形成され、ビーム体の両端には、前記係合部に対して上方向から係脱可能な連結部が設けられていることを特徴としたものである。
【００１７】
したがって請求項８の発明によると、上位横行部材に対するビーム体の配設、すなわち床装置の組み立てを容易に行えるとともに、上位横行部材からのビーム体の除去、すなわち床装置の分解を容易に行える。
【００１８】
しかも本発明の請求項９記載の床装置は、上記した請求項１〜８のいずれか１項に記載の構成において、共通の複数のトラス体が、長さ方向において直線状に位置され、相対向された端部間が接続手段により接続されていることを特徴としたものである。
【００１９】
したがって請求項９の発明によると、固定部間の長さに対応した長さのトラス体を準備し得る。
また本発明の請求項１０記載の床装置は、上記した請求項１〜９のいずれか１項に記載の構成において、複数のトラス体が、長さ方向において直線状に位置され、相対向された端部間が接続手段により接続され、連結部材は、前記接続手段により接続されたトラス体間に亘って、上位横行部材と下位横行部材との間に配置されていることを特徴としたものである。
【００２０】
したがって請求項１０の発明によると、接続手段により接続したトラス体の端部間を、トラス体間に亘って上位横行部材と下位横行部材との間に配置した連結部材により強固に補強し得る。
【００２１】
そして本発明の請求項１１記載の床装置は、上記した請求項１〜１０のいずれか１項に記載の構成において、複数のトラス体が、長さ方向において直線状に位置され、相対向された端部間が接続手段により接続され、この接続手段は、上位横行部材の相対向された端部間を接続する上位接続体と、下位横行部材の相対向された端部間を接続する下位接続体とからなり、上位接続体と下位接続体とが、トラス体の長さ方向において位置をずらせて配設されていることを特徴としたものである。
【００２２】
したがって請求項１１の発明によると、上位横行部材の相対向された端部間を上位接続体により接続し、下位横行部材の相対向された端部間を下位接続体により接続することで、接続手段によるトラス体の接続を、トラス体の長さ方向において位置をずらせた上下の２箇所で行うことになり、以て強度的に不利な接続箇所を長さ方向において分散し得る。
【００２３】
さらに本発明の請求項１２記載の床装置は、上記した請求項１〜１１のいずれか１項に記載の構成において、トラス体は、梁間の長さに対応してトラス幅が異なる複数種が準備され、選択して使用されることを特徴としたものである。
【００２４】
したがって請求項１２の発明によると、梁間の長さに対応した強度を有するトラス体を準備し得る。
しかも本発明の請求項１３記載の床装置を組み込んだ高層住宅は、型材状に形成された上位横行部材ならびに下位横行部材と、両横行部材間に配置される複数の連結部材とによりトラス体が構成され、このトラス体は間隔を隔てて複数が配設されるとともに、隣接されるトラス体間に亘って複数のビーム体が設けられ、この上方に床面が形成されることで床装置が構成され、この床装置は多層階の各階において、前記トラス体の長さ方向の両端部のみに設けられた支持手段を介して、小梁のない構造物側に支持されることを特徴としたものである。
【００２５】
したがって請求項１３の発明によると、床装置を好適に採用した高層住宅を提供し得、そして床装置を分解して除去し得、その際に構造物は梁のみで、邪魔となり易い小梁がないことから、後のリフォームは、制約されることなく行える。
【発明の効果】
【００２６】
上記した本発明の請求項１によると、複数のトラス体を、その両端部に設けた支持手段を介して固定部側に支持させていることで、固定部側に対する支持箇所を最少数にできるとともに、床面に掛かる振動をトラス体群により吸収して遮音効果を期待でき、しかも、型材状に形成した上位横行部材ならびに下位横行部材と複数の連結部材とによりトラス体を構成していることにより、全体を軽量化できるとともに十分な強度を確保できる。
【００２７】
また上記した本発明の請求項２によると、床装置の分解除去を容易に行うことができる。
そして上記した本発明の請求項３によると、載置支持形式により地震などの振動が固定部側に伝わり難くできる。
【００２８】
さらに上記した本発明の請求項４によると、梁が形成されていない固定部に対して容易に配設することができる。
しかも上記した本発明の請求項５によると、長さ方向規制手段を横向き面に当接させることによって、トラス体の長さ方向の両端部の位置を固定状に規制して、固定化（ロック化）できることになる。
【００２９】
また上記した本発明の請求項６によると、長さ方向規制手段の緩衝部材を横向き面に当接させることによって、弾性変形による緩衝作用を持たせて位置規制を行うことができ、さらに支持手段を、緩衝部材を介して固定部に支持させていることで、その弾性変形による緩衝作用によって、荷重支持をスムースに行うことができる。
【００３０】
そして上記した本発明の請求項７によると、全体を軽量化できるとともに十分な強度を確保できることになる。
さらに上記した本発明の請求項８によると、上位横行部材に対するビーム体の配設、すなわち床装置の組み立てを容易に行うことができるとともに、上位横行部材からのビーム体の除去、すなわち床装置の分解を容易に行うことができる。
【００３１】
しかも上記した本発明の請求項９によると、固定部間の長さに対応した長さのトラス体を、簡単かつ容易にして準備できる。
また上記した本発明の請求項１０によると、接続手段により接続したトラス体の端部間を、トラス体間に亘って上位横行部材と下位横行部材との間に配置した連結部材により強固に補強できる。
【００３２】
そして上記した本発明の請求項１１によると、上位横行部材の相対向された端部間を上位接続体により接続し、下位横行部材の相対向された端部間を下位接続体により接続することで、接続手段によるトラス体の接続を、トラス体の長さ方向において位置をずらせた上下の２箇所で行うことができ、以て強度的に不利な接続箇所を長さ方向において分散させることができて、トラス体の端部間を容易にかつ強固に接続できる。
【００３３】
さらに上記した本発明の請求項１２によると、梁間の長さに対応した強度を有するトラス体を、簡単かつ容易にして準備できることになる。
しかも上記した本発明の請求項１３によると、床装置を好適に採用した高層住宅を提供でき、そして床装置を簡単かつ容易に分解して除去でき、その際に構造物は梁のみで、邪魔となり易い小梁がないことから、後のリフォームは、制約されることなく十分な自由度を持って行うことができる。
【発明を実施するための最良の形態】
【００３４】
本発明は、トラス体を、その両端部に設けた支持手段を介して固定部側に支持させるものである。
［実施の形態１］
以下に、本発明の実施の形態１を、図１〜図８に基づいて説明する。
【００３５】
図１〜図５に示すように、高層住宅１の構造物（躯体）２は、多階層を形成する床スラブ３や室区画の側壁４などによって、小梁のない状態に形成されている。前記床スラブ３と側壁４とからなる下位のコーナ部などには、梁（または逆梁も含み、小梁ではない梁のことである。）５が形成されている。そして多階層の各階において、床スラブ３の上方には床装置１０が設けられている。この床装置１０は、トラス体１１と、ビーム体７１と、床板９２などにより構成されている。
【００３６】
前記トラス体１１は、型材状に一体形成された上位横行部材１２ならびに下位横行部材１３と、両横行部材１２，１３間に配置される複数の連結部材２４などにより構成されている。すなわち、前記上位横行部材１２と下位横行部材１３とは同様な構成であって、図１、図４〜図８に示すように、相対向される一対の側板１４と、これら側板１４の外端間に直角状で位置される外板１５と、両側板１４の内端から相対向する方向に接近された左右一対の内板１６と、これら内板１６の内端から直角状で内方に延ばされた左右一対の連結板１７などからなり、両連結板１７間に挿入部１８を有する状態で型材状に一体形成されている。
【００３７】
前記外板１５の幅方向の中央部には内方への凹入部１９が長さ方向の全長に亘って形成され、この凹入部１９の奥板部を形成する外板部分１５Ａには、長さ方向に沿って長い矩形貫通孔状の係合部２０が、長さ方向で所定間隔置きに複数形成されている。ここで、各係合部２０の長さ方向の両端において、前記外板部分１５Ａの幅方向の中央には、相対向する方向へ突出する突起部１５ａが形成されている。
【００３８】
そして両連結板１７における長さ方向の所定の複数位置には連結用孔２１が形成されている。また外板１５における長さ方向の両端で、凹入部１９を挟んでの両側には、接続手段用や端部連結手段用（いずれも後述する。）の連結用孔２２が、それぞれ複数箇所に形成されている。
【００３９】
前記連結部材２４は、相対向される一対の側板２５と、これら側板２５の外端間に直角状で位置される外板２６とにより、Ｃ字型材状に一体形成されている。そして、側板２５における長さ方向の両端位置には連結用孔２７が形成されている。
【００４０】
前記上位横行部材１２と下位横行部材１３とは、挿入部１８を上下方向において相対向して配置され、そして前記連結部材２４は傾斜状として、その端が前記挿入部１８に差し込まれて連結用孔２１，２７間が連通される。この状態で、前記連結用孔２１，２７に亘ってボルト・ナット（連結具の一例で、リベットなどであってもよい。）２８を作用させて、連結板１７と側板２５とを連結することで、上位横行部材１２と下位横行部材１３と複数の連結部材２４とが一体化される。その際に連結部材２４群は、隣接した連結部材２４の傾斜方向が逆方向として（全体を波状として）配置されている。
【００４１】
前記上位横行部材１２、下位横行部材１３、連結部材２４は、金属板を折り曲げることで型材状に一体形成されており、その際に溶融亜鉛鍍金を行ったときには、その後の塗装などを不要とし得ることなどにより、先に工場でリベット止めなどを行って一体化されたトラス体１１とし得る。以上の１２〜２８などによりトラス体１１の一例が構成される。
【００４２】
このように構成された共通の複数のトラス体１１は、長さ方向において直線状に位置され、相対向された端部間が接続手段３１により接続されている。すなわち接続手段３１は、長方形筒状の縦方向部材３２を有し、この縦方向部材３２は、その両端部分が前記挿入部１８に差し込まれて外板部分１５Ａの内面に当接される長さに設定されており、そして前記連結用孔２１に連通可能な連結用孔３３が形成されている。
【００４３】
また、上位横行部材１２の相対向された端部間、および下位横行部材１３の相対向された端部間に亘って位置される長さの連結用型板３４が、それぞれ左右一対に設けられている。これら連結用型板３４は、上位横行部材１２や下位横行部材１３における外板１５、側板１４、内板１６、連結板１７に亘っての外面に密状に当て付け可能に曲げ形成されており、そして、前記連結用孔２１に連通可能な連結用孔３５と、前記連結用孔２２に連通可能な連結用孔３６とが形成されている。
【００４４】
したがって、縦方向部材３２を挿入部１８に差し込んで連結用孔３３を連結用孔２１に連通させ、連結用型板３４を当て付けて連結用孔３５を連結用孔２１に連通させるとともに、連結用孔３６を連結用孔２２に連通させた状態で、前記連結用孔３５，２１，３３に亘ってボルト・ナット（連結具の一例で、リベットなどであってもよい。）３７を作用させるとともに、前記連結用孔３６，２２に亘ってボルト・ナット（連結具の一例で、リベットなどであってもよい。）３８を作用させて、縦方向部材３２と連結用型板３４群とを上位横行部材１２や下位横行部材１３に連結することで、上位横行部材１２や下位横行部材１３の相対向された端部間が、接続手段３１により一体状に接続される。
【００４５】
縦方向部材３２や連結用型板３４群は、金属板を折り曲げることで型材状に一体形成されている。なおボルト・ナット３８は、外板１５の内面側に位置される板状ナット体３８Ａと、連結用孔３６，２２間に通されて外側から螺合操作されるボルト体３８Ｂなどから構成されている。以上の３２〜３８などにより接続手段３１の一例が構成される。
【００４６】
上記のように接続されて使用されるトラス体１１、または接続されることなく単体で使用されるトラス体１１は、長さ方向の両端部に端部連結手段４１が設けられる。すなわち、端部連結手段４１の本体は、縦板部分４２Ａと上横板部分４２Ｂと下横板部分４２ＣとによりＣ型に曲げ成形された外枠部４２と、この外枠部４２内に配置されて固定された左右一対の内板部４３と、これら内板部４３との縁部と下横板部分４２Ｃの縁部とに亘って位置されて固定された三角板状の補強板部４４などからなり、両内板部４３間にトラス体１１の挿入部４５が形成されている。
【００４７】
そして、挿入部４５に対応される状態で、上横板部分４２Ｂや下横板部分４２Ｃには連結用孔４６が形成されている。また両内板部４３の外側の位置において、下横板部分４２Ｃには支持手段５１用の貫通孔４７が形成されるとともに、縦板部分４２Ａには長さ方向規制手段６１用の貫通孔４８が形成されている。
【００４８】
上記構成からなる端部連結手段４１は、その挿入部４５を利用してトラス体１１における両横行部材１２，１３の端間に外嵌されることで、連結用孔４６が連結用孔２２に連通される。この状態で、前記連結用孔４６，２２に亘ってボルト・ナット（連結具の一例で、リベットなどであってもよい。）４９を作用させて、上横板部分４２Ｂや下横板部分４２Ｃと外板１５とを連結することで、トラス体１１の端部間が端部連結手段４１により連結される。
【００４９】
なおボルト・ナット４９は、外板１５の内面側に位置される板状ナット体４９Ａと、連結用孔４６，２２間に通されて外側から螺合操作されるボルト体４９Ｂなどから構成されている。以上の４２〜４９などにより端部連結手段４１の一例が構成される。
【００５０】
前記トラス体１１は、長さ方向の両端部のみに設けられた支持手段５１を介して、梁（固定部の一例）５の上向き面５ａ側に支持されている。すなわち支持手段５１は左右に振り分けて配設されるもので、それぞれ円板状の着床体５２と、この着床体５２の中央部分から立設されかつ前記貫通孔４７に挿通可能なボルト体５３と、下横板部分４２Ｃの上下両側においてボルト体５３に螺合される一対のナット体５４などからなり、螺合操作によって支持位置（トラス体１１のレベル）を調整可能に構成されている。そして支持手段５１は、着床体５２の下面に固着したゴム板（緩衝部材の一例）５５を介して、梁５の上向き面５ａ側に支持されるように構成されている。
【００５１】
前記トラス体１１の長さ方向の両端部には、側壁（固定部の一例）４側の横向き面４ａに対向される長さ方向規制手段６１が設けられ、この長さ方向規制手段６１は横向き面４ａに当接可能に構成されている。すなわち長さ方向規制手段６１は左右に振り分けて配設されるもので、それぞれ円板状の当接体６２と、この当接体６２の中央部分から連結されかつ前記貫通孔４８に挿通可能なボルト体６３と、縦板部分４２Ａの前後両側においてボルト体６３に螺合される一対のナット体６４などからなり、螺合操作によって規制位置を調整可能に構成されている。そして長さ方向規制手段６１は、当接体６２の外面に固着したゴム板（緩衝部材の一例）６５を介して、側壁４の横向き面４ａに当接可能に構成されている。
【００５２】
上述したようにトラス体１１は、長さ方向の両端部にのみ設けられた支持手段５１を介して梁５側に支持され、さらに、所定の間隔Ｌを隔てて複数が配設されている。そして、隣接されるトラス体１１の上位横行部材１２間に亘って複数のビーム体７１が架け渡される。
【００５３】
すなわちビーム体７１は、中間縦板部７２と、この中間縦板部７２の上下両端から左右の同方向でかつ上下に傾斜して伸びる傾斜板部７３と、これら傾斜板部７３の上下両端から上下に伸びる一側端縦板部７４と、これら一側端縦板部７４の上下両端から左右の同方向で横方向に伸びる横板部７５と、これら横板部７５の端から相対向した側に伸びかつ前記一側端縦板部７４に平行状の他側端縦板部７６と、これら他側端縦板部７６の端から相対向した側でかつ前記中間縦板部７２に向かって伸びる短尺傾斜板部７７とからなる。
【００５４】
このビーム体７１は、金属板を折り曲げることで型材状に一体形成されている。そして、長さ方向の両端部分において前記中間縦板部７２には、それぞれ複数の連結用孔７８が形成されている。以上の７２〜７８などによりビーム体７１の一例が構成される。
【００５５】
上記構成のビーム体７１の両端には、前記上位横行部材１２の係合部２０に対して上方向から係脱可能な連結部８１が設けられている。すなわち、ビーム体７１の端部に位置される連結用型板８２が設けられている。この連結用型板８２は、ビーム体７１における中間縦板部７２から両傾斜板部７３に亘っての外面に密状に当て付け可能に曲げ形成されており、そして、前記連結用孔７８に連通可能な連結用長孔８３が、ビーム体７１の長さ方向に沿って形成されている。
【００５６】
この連結用型板８２の外端に前記連結部８１が溶接により一体化されている。ここで連結部８１は、上位横行部材１２における側板１４から外板１５に亘っての外面に密状に当て付け可能にかつ凹入部１９に嵌入可能に曲げ形成されており、そして凹入部１９への嵌入部分には、前記係合部２０に上方から嵌入可能でかつ上位横行部材１２の長さ方向へのスライドによって外板部分１５Ａに下方から係合可能なフック状の係合部分８１ａが一体形成されている。
【００５７】
なお係合部分８１ａは、４個（１個または複数個）の係合部２０に対して同時に係合可能として、所定ピッチで４箇所に形成されており、以て連結部８１はそれに相応した長さに設定されている。
【００５８】
このような連結部８１が一体化された連結用型板８２は、ビーム体７１の外面に当て付けて連結用長孔８３を連結用孔７８に連通させた状態で、これら孔８３，７８に亘ってボルト・ナット（連結具の一例で、リベットなどであってもよい。）８４を作用させることで、ビーム体７１側に連結される。その際に連結用長孔８３を利用して、ビーム体７１に対する係合部分８１ａの位置を調整し得る。
【００５９】
前記ビーム体７１の上面間に亘っては複数の根太材９１が配設され、そして根太材９１群の上面間に亘って床板９２が載置され、以てビーム体７１の上方に床面９２ａが構成される。そして、床スラブ３の上面３ａと床板９２の下面９２ｂとの間に収納スペース（空間）Ｓが形成される。なお、前記床板の適所には出し入れ口（図示せず。）が設けられ、この出し入れ口は蓋体によって開閉自在に構成されている。
【００６０】
以上によって前記床装置１０が構成される。このように構成された床装置１０は、多層階の各階において、前記トラス体１１の長さ方向の両端部のみに設けられた支持手段５１を介して、小梁のない構造物２側に支持されることになる。
【００６１】
以下に、上記した実施の形態１における作用を説明する。
床装置１０を構成するに、まず所定の複数箇所にトラス体１１を配設する。これは、他の場所（工場など）で組み立てられたトラス体１１、つまり、接続されて使用されるトラス体１１の場合には、一端側のみ端部連結手段４１によって連結されるとともに、支持手段５１と長さ方向規制手段６１とが組み込まれたトラス体１１が、目的とする階の床スラブ３上に所定数で運び込まれる。
【００６２】
次いで、端部連結手段４１によって連結されていない端部が相対向される状態に一対のトラス体１１を直線状に位置させたのち、相対向された端部間を接続手段３１により接続する。これにより、長さ方向の両端のみに支持手段５１が設けられたトラス体１１を構成し得る。このときトラス体１１は、両支持手段５１、すなわちゴム板５５を介して梁５の上向き面５ａ上に支持され、また長さ方向規制手段６１は当接体６２が後退動されている。
【００６３】
このようにして接続形成されたトラス体１１は、まず所定の位置になるように位置修正し、そして支持手段５１におけるナット体５４の螺合操作により、着床板５２を昇降動させることによって、支持位置（トラス体１１のレベル）を調整し得る。次いで、長さ方向規制手段６１におけるナット体６４の螺合操作により、当接体６２を突出動させてゴム板６５を側壁４の横向き面４ａに当接させることによって、規制位置を調整し得るとともに、その規制位置を固定化（ロック化）し得る。
【００６４】
このような作業の繰り返しによって、複数のトラス体１１を、所定の間隔Ｌを隔てて配設したのち、隣接したトラス体１１の上位横行部材１２間に亘って複数のビーム体７１を架け渡す。すなわちビーム体７１は、その両端に設けた連結部８１を前記上位横行部材１２の外面に密状に当て付けるとともに凹入部１９に嵌入させて、フック状の係合部分８１ａ群を係合部２０群に上方から嵌入させたのち、上位横行部材１２の長さ方向へスライドさせることによって、係合部分８１ａ群を外板部分１５Ａに下方から係合させ得、以て上位横行部材１２間に亘って離脱可能に架け渡し得る。
【００６５】
なお、トラス体１１に対して両側にビーム体７１を架け渡すとき、１つの係合部２０に対して両側の係合部分８１ａを嵌入させるが、その際に両係合部分８１ａは、突起部１５ａによって振り分けられるとともに、位置決めされる。
【００６６】
このようにして、トラス体１１群とビーム体７１群とからなる枠組み体を形成したのち、ビーム体７１群の上面間に亘って複数の根太材９１を配設し、そして根太材９１群の上面間に亘って床板９２を載置することで、床スラブ３と床板９２との間に収納スペースＳを形成して、床装置１０を構成し得る。なお、上述とは逆操作によって、床装置１０を分解して除去し得、その際に構造物２は梁５のみで、邪魔となり易い小梁がないことから、後のリホームは、制約されることなく十分な自由度を持って行える。
【００６７】
上述したように構成した床装置１０によると、複数のトラス体１１を、その両端のみに設けた支持手段５１を介して梁５の上向き面５ａに支持させていることで、床板９２に掛かる振動をトラス体１１群により吸収して遮音効果を期待し得る。さらに支持手段５１を、ゴム板５５を介して上向き面５ａに支持させていることで、その弾性変形による緩衝作用によって、荷重支持をスムースに行えるとともに、より遮音効果を期待し得る。
【００６８】
しかも、型材状に形成した上位横行部材１２ならびに下位横行部材１３と、両横行部材１２，１３間に配置した複数の連結部材２４とによりトラス体１１を構成していることにより、全体を軽量化し得るとともに強度を補強し得る。なお、蓋体を開閉動させることで、出し入れ口を通して、収納スペースＳに対し物品の出し入れを行える。
【００６９】
また、接続されることなく単体で使用されるトラス体１１は、長さ方向の両端部がそれぞれ端部連結手段４１によって連結されるとともに、支持手段５１と長さ方向規制手段６１とが組み込まれた状態で、目的とする階の床スラブ３上に所定数で運び込まれる。その後に、上述と同様にして、トラス体１１群とビーム体７１群とからなる枠組み体を形成し得る。
［実施の形態２］
次に、本発明の実施の形態２を、図９に基づいて説明する。
【００７０】
この実施の形態２において、トラス体１１は、両支持手段５１、すなわちゴム板５５を介して床スラブ（固定部の一例）３の上面（上向き面の一例）３ａ、すなわちコンクリート床面に支持されている。なお構造物２は、梁５を通常の形式（逆梁ではない。）とした構成とされている。
［実施の形態３］
次に、本発明の実施の形態３を、図１０〜図１２に基づいて説明する。
【００７１】
この実施の形態３において、支持手段５１は、側壁（固定部の一例）４側の横向き面４ａに設けられた受け体１１１を介して支持されている。すなわち、トラス体１１の端部に設けられる端部連結手段１０１の本体は、外枠部１０２と、左右一対の内板部１０３と、左右一対の取り付け板部１０４と、左右一対の補強板部１０５などからなる。
【００７２】
前記外枠部１０２は、上部幅広、下部幅狭で上下に長尺の縦板部分１０２Ａと、幅広の上横板部分１０２Ｂと、幅狭の下横板部分１０２Ｃとを有する状態で曲げ成形されている。また左右一対の内板部１０３は長尺プレート状であって、縦板部分１０２Ａや下横板部分１０２Ｃの幅狭に対応した間隔を置いて配置された状態で、外枠部１０２側に溶接により一体化され、以て内板部１０３間にトラス体１１の挿入部１０６が形成されている。
【００７３】
そして、左右一対の取り付け板部１０４は矩形板状であって、上下方向の中間に位置され、内板部１０３の外面や縦板部分１０２Ａにおける上部幅広の下端部分などに溶接により一体化されている。また左右一対の補強板部１０５は三角板状であって、内板部１０３との縁部と取り付け板部１０４の縁部とに亘って位置されて、溶接により固定されている。両取り付け板部１０４には支持手段５１用の貫通孔１０７が形成されるとともに、縦板部分１０２Ａにおける上部幅広の箇所には長さ方向規制手段６１用の貫通孔１０８が形成されている。
【００７４】
前記支持手段５１を側壁４側の横向き面４ａに支持させるために、側壁４の内側面にはアングル状の受け体１１１が配設される。この受け体１１１は、縦板部分１１２Ａと上横板部分１１２ＢとからなるＬ字型状の枠部１１２と、左右両端と中間２箇所に設けられた補強板部１１３などからなる。そして、中間２箇所の補強板部１１３間において上横板部分１１２Ｂには、前記端部連結手段１０１における内板部１０３の挿通を許す凹部１１４が切り欠き状に形成され、そして中間の補強板部１１３と両端の補強板部１１３との間において、縦板部分１１２Ａには連結用孔１１５が形成されている。
【００７５】
上記構成からなる受け体１１１は、側壁４にインサートされたボルト・ナット（連結具の一例）１１６を介して、すなわち、連結用孔１１５群にボルト群が通されることで、この側壁４に固定されている。
【００７６】
以下に、上記した実施の形態３における作用を説明する。
他の場所で組み立てられたトラス体１１、つまり、支持手段５１と長さ方向規制手段６１とが組み込まれたトラス体１１が、目的とする階の床スラブ３上に所定数で運び込まれる。
【００７７】
次いでトラス体１１を、長さ方向の両端のみに設けられた支持手段５１、すなわちゴム板５５を介して受け体１１１の上横板部分１１２Ｂ上に支持させる。このようにして支持させたトラス体１１は、まず所定の位置になるように位置修正し、そして支持手段５１におけるナット体５４の螺合操作により、着床板５２を昇降動させることによって、支持位置（トラス体１１のレベル）を調整し得る。次いで、長さ方向規制手段６１におけるナット体６４の螺合操作により、当接体６２を突出動させてゴム板６５を側壁４の横向き面４ａに当接させることによって、規制位置を調整し得るとともに、その規制位置を固定化（ロック化）し得る。
【００７８】
これにより支持手段５１を、側壁４側の横向き面４ａに支持させた状態で、トラス体１１を配設し得る。この後、前述した実施の形態１と同様の作業によって、ビーム体７１の架け渡しや床板９２の配設などを行うことで、床装置１０を構成し得、また床装置１０を分解して除去し得る。
【００７９】
このように構成された床装置１０によると、複数のトラス体１１の両端のみに設けた支持手段５１を、受け体１１１を介して側壁４の横向き面４ａ側に支持させていることで、梁５が形成されていない固定部に対して容易に配設し得る。さらに支持手段５１を、ゴム板５５を介して受け体１１１に支持させていることで、その弾性変形による緩衝作用によって、荷重支持をスムースに行えるとともに、より遮音効果を期待し得る。
［実施の形態４］
次に、本発明の実施の形態４を、図１３、図１４に基づいて説明する。
【００８０】
この実施の形態４においては、上述した実施の形態１と同様にして、複数のトラス体１１が長さ方向において直線状に位置され、相対向された端部間が接続手段３１により接続され、また上位横行部材１２と下位横行部材１３との間に連結部材２４が配置されている。そして、前記連結部材２４とは別に連結部材１９１が、前記接続手段３１により接続されたトラス体１１間に亘って、上位横行部材１２と下位横行部材１３との間に配置されている。
【００８１】
すなわち連結部材１９１は、パイプ状の本体部分１９２と、この本体部分１９２の両端に一体化されたＬ形板状の連結板部分１９３とからなり、これら連結板部分１９３の縦板部分には連結用孔１９４が形成されている。そして連結部材１９１は、前記上位横行部材１２と下位横行部材１３との外側間に傾斜して位置され、その連結用孔１９４をトラス体１１側の連結用孔２１に連通させた状態で、連結用孔１９４，２１に亘ってボルト・ナット２８を作用させて、連結板部分１９３と連結板１７とを連結することで、上位横行部材１２と下位横行部材１３との間に一体化される。
【００８２】
その際に、ボルト・ナット２８による上位横行部材１２に対する連結部材１９１の連結は、連結部材２４の連結を兼用して行われる。またボルト・ナット２８による下位横行部材１３に対する連結部材１９１の連結は、この連結部材１９１と同様でかつ短尺構成の縦向き連結部材１９１Ａの連結を兼用して行われる。なお、縦向き連結部材１９１Ａの上位横行部材１２に対する連結は、連結部材２４の連結を兼用して行われる。
【００８３】
このように構成された実施の形態４によると、接続手段３１により接続したトラス体１１の端部間を、トラス体１１間に亘って上位横行部材１２と下位横行部材１３との間に配置した連結部材１９１により強固に補強し得る。
［実施の形態５］
次に、本発明の実施の形態５を、図１５、図１６に基づいて説明する。
【００８４】
この実施の形態５においては、上述した実施の形態１と同様にして、複数のトラス体１１が長さ方向において直線状に位置され、上位横行部材１２と下位横行部材１３との間に連結部材２４が配置されている。そして、相対向された端部間を接続する接続手段２０１が、上位横行部材１２の相対向された端部間を接続する上位接続体２０２と、下位横行部材１３の相対向された端部間を接続する下位接続体２０３とからなる。さらに１つの連結部材２４Ａが、前記接続手段２０１により接続されたトラス体１１間に亘って、上位横行部材１２と下位横行部材１３との間に配置されている。
【００８５】
すなわち、前記接続手段２０１の上位接続体２０２と下位接続体２０３とはそれぞれ左右一対に設けられている。これら接続体２０２，２０３は同様な構成であって、上位横行部材１２や下位横行部材１３における外板１５の外面に密状に当て付け可能な横板部２０４と、この横板部２０４に対して直角状に曲げ形成されて側板１４の外面に密状に当て付け可能な縦板部２０５と、この縦板部２０５の遊端から前記横板部２０４とは反対側に直角状に曲げ形成された連結板部２０６などを有する状態で、型材状に一体形成されている。
【００８６】
ここで縦板部２０５は、両接続体２０２，２０３の連結板部２０６どうしが近接状または当接状となる長さに設定されている。そして、横板部２０４には連結用孔２２に連通可能な連結用孔２０７が形成され、また連結板部２０６には上下で互いに連通可能な連結用孔２０８が形成されている。
【００８７】
したがって、横板部２０４を外板１５の外面に密状に当て付けて連結用孔２０７を連結用孔２２に連通させるとともに、両連結板部２０６の連結用孔２０８どうしを連通させた状態で、前記連結用孔２０７，２２に亘ってボルト・ナット（連結具の一例で、リベットなどであってもよい。）３８を作用させることで、上位接続体２０２を上位横行部材１２に連結するとともに、下位接続体２０３を下位横行部材１３に連結し、そして前記連結用孔２０８，２０８に亘ってボルト・ナット（連結具の一例で、リベットなどであってもよい。）２０９を作用させることで、両接続体２０２，２０３間を連結し、以て上位横行部材１２や下位横行部材１３の相対向された端部間を、接続手段２０１により一体状に接続し得る。
【００８８】
前記連結部材２４Ａは、前記上位横行部材１２と下位横行部材１３との間に傾斜して位置され、その連結用孔２７をトラス体１１側の連結用孔２１に連通させた状態で、連結用孔２７，２１に亘ってボルト・ナット２８を作用させることによって、上位横行部材１２と下位横行部材１３との間に一体化される。
【００８９】
このように構成された実施の形態５によると、上位横行部材１２と下位横行部材１３との外面間に配設された接続手段２０１により、トラス体１１の端部間を容易にかつ強固に接続し得、そして接続手段２０１により接続したトラス体１１の端部間を、トラス体１１間に亘って上位横行部材１２と下位横行部材１３との間に配置した連結部材２４Ａにより強固に補強し得る。
［実施の形態６］
次に、本発明の実施の形態６を、図１７、図１８に基づいて説明する。
【００９０】
この実施の形態５においては、上述した実施の形態１と同様にして、複数のトラス体１１が長さ方向において直線状に位置され、上位横行部材１２と下位横行部材１３との間に連結部材２４が配置されている。その際に、上位横行部材１２の相対向された端部間と、下位横行部材１３の相対向された端部間とが、トラス体１１の長さ方向において位置をずらせて構成されている。
【００９１】
そして、相対向された端部間を接続する接続手段２１１は、上位横行部材１２の相対向された端部間を接続する上位接続体２１２と、下位横行部材１３の相対向された端部間を接続する下位接続体２１３とからなり、以て上位接続体２１２と下位接続体２１３とは、トラス体１１の長さ方向において位置をずらせて配設されている。さらに１つの連結部材２４Ａが、前記接続手段２１１により接続されたトラス体１１間に亘って、上位横行部材１２と下位横行部材１３との間に配置されている。
【００９２】
前記接続手段２１１の上位接続体２１２と下位接続体２１３とはそれぞれ左右一対に設けられている。これら接続体２１２，２１３は同様な構成であって、上位横行部材１２や下位横行部材１３における外板１５の外面に密状に当て付け可能な外板部２１５と、この外板部２１５に対して直角状に曲げ形成されて側板１４の外面に密状に当て付け可能な側板部２１４と、この側板部２１４に対して直角状に曲げ形成されて内板１６の外面に密状に当て付け可能な内板部２１６と、この内板部２１６に対して直角状に曲げ形成されて連結板１７の外面に密状に当て付け可能な連結板部２１７とを有する状態で、型材状に一体形成されている。そして、外板部２１５には連結用孔２２に連通可能な連結用孔２１８が形成され、また連結板部２１７には連結用孔２１に連通可能な連結用孔２１９が形成されている。
【００９３】
したがって、接続体２１２，２１３を上位横行部材１２や下位横行部材１３の外面に密状に当て付けて、連結用孔２１８を連結用孔２２に連通させるとともに、連結用孔２１９を連結用孔２１に連通させた状態で、前記連結用孔２１８，２２に亘ってボルト・ナット（連結具の一例で、リベットなどであってもよい。）３８を作用させるとともに、前記連結用孔２１９，２１に亘ってボルト・ナット（連結具の一例で、リベットなどであってもよい。）２８を作用させることで、上位横行部材１２や下位横行部材１３の相対向された端部間を、接続手段２１１により一体状に接続し得る。
【００９４】
また前記連結部材２４Ａは、前記上位横行部材１２と下位横行部材１３との間に傾斜して位置され、その連結用孔２７をトラス体１１側の連結用孔２１に連通させた状態で、連結用孔２７，２１に亘ってボルト・ナット２８を作用させることによって、上位横行部材１２と下位横行部材１３との間に一体化される。
【００９５】
このように構成された実施の形態６によると、上位横行部材１２の相対向された端部間を上位接続体２１２により接続し、下位横行部材１３の相対向された端部間を下位接続体２１３により接続することで、接続手段２１１によるトラス体１１の接続を、トラス体１１の長さ方向において位置をずらせた上下の２箇所で行うことになり、以て強度的に不利な接続箇所を長さ方向において分散させることができて、トラス体１１の端部間を容易にかつ強固に接続し得る。さらに、接続手段２１１により接続したトラス体１１の端部間を、トラス体１１間に亘って上位横行部材１２と下位横行部材１３との間に配置した連結部材２４Ａにより強固に補強し得る。
［実施の形態７］
次に、本発明の実施の形態７を、図１９に基づいて説明する。この実施の形態７では、トラス体１１の種々なパターンを示している。
【００９６】
すなわち（ａ）に示すトラス体１１は、上位横行部材１２と下位横行部材１３とが、波状に配置された連結部材２４群により連結され、その際に、連結部材２４の隣接した一対の端部が、共通の連結具１１９を介して上位横行部材１２や下位横行部材１３に連結されている。
【００９７】
また（ｂ）に示すトラス体１１は、上位横行部材１２と下位横行部材１３とが、一方へ傾斜する連結部材２４群と、直交状の連結部材２４群とを交互に位置させて連結されている。
【００９８】
そして（ｃ）に示すトラス体１１は、上位横行部材１２と下位横行部材１３とが、波状に配置された連結部材２４群と、直交状の連結部材２４群とにより連結されている。
［実施の形態８］
次に、本発明の実施の形態８を、図２０に基づいて説明する。この実施の形態８では、上位横行部材や下位横行部材の種々な形状を示している。
【００９９】
すなわち（ａ）に示す横行部材１２，１３は、第１の実施の形態の形状に対して、外板１５や内板１６の幅を長くして形成している。また（ｂ）に示す横行部材１２，１３は、第１の実施の形態の形状に対して、外板１５や内板１６の幅を短くして形成している。これらによると、トラス体１１として、梁５間の長さに対応して広いトラス幅Ｗ１の種類や狭いトラス幅Ｗ２の種類を準備し得、以て選択して使用することにより、梁５間の長さに対応した強度を有するトラス体１１を、簡単かつ容易にして準備し得る。
【０１００】
そして（ｃ）に示す横行部材１２１は、相対向される一対の側板１２２と、これら側板１２２の外端間に直角状で位置される外板１２３と、両側板１２２の内端から相対向する方向に接近された左右一対の内板１２４と、これら内板１２４の内端から直角状で内方に延ばされた左右一対の連結板１２５などからなり、両連結板１２５間に挿入部１２６を有する状態で型材状に一体形成されている。この横行部材１２１は、前述した実施の形態１に比べて凹入部が存在しない形状であり、そして係合部は外板１２３に形成されている。
【０１０１】
さらに（ｄ）に示す横行部材１３１は、相対向される一対の側板１３２と、これら側板１３２の外端間に直角状で位置される外板１３３と、両側板１３２の内端から鈍角状で相対向する方向に連設された左右一対の内板１３４と、これら内板１３４の内端から鈍角状で内方に延ばされた左右一対の連結板１３５などからなり、両連結板１３５間に挿入部１３６を有する状態で型材状に一体形成されている。この横行部材１３１は、外板１３３に凹入部１３７が形成されているが、（ｃ）に示すように凹入部が存在しない形状であってもよい。
［実施の形態９］
次に、本発明の実施の形態９を、図２１に基づいて説明する。この実施の形態９では、ビーム体の種々な形状を示している。
【０１０２】
すなわち（ａ）に示すビーム体１４１は、中間の縦板部１４２と、この縦板部１４２の上下両端から左右の同方向でかつ上下に傾斜して伸びる傾斜板部１４３と、これら傾斜板部１４３の上下両端から左右の同方向で横方向に伸びる横板部１４４と、これら横板部１４４の端から相対向した側でかつ前記縦板部１４２に向かって伸びる短尺傾斜板部１４５とからなり、以て型材状に形成されている。
【０１０３】
また（ｂ）に示すビーム体１５１は、左右方向で上下に傾斜する傾斜板部１５２と、この傾斜板部１５２の上下両端から左右の異方向に伸びる横板部１５３と、これら横板部１５３の端から相対向した側でかつ前記傾斜板部１５２に向かって伸びる短尺傾斜板部１５４とからなり、以て型材状に形成されている。
【０１０４】
そして（ｃ）に示すビーム体１６１は、縦板部１６２と、この縦板部１６２の上下両端から左右の異方向でかつ上下に傾斜して伸びる傾斜板部１６３と、これら傾斜板部１６３の上下両端から左右の異方向で横方向に伸びる横板部１６４と、これら横板部１６４の端から相対向した側でかつ前記縦板部１６２に向かって伸びる短尺傾斜板部１６５とからなり、以て型材状に形成されている。
【０１０５】
さらに（ｄ）に示すビーム体１７１は、左右一対の縦板部１７２と、これら縦板部１７２の上端間および下端間に位置される上下一対の横板部１７３とからなり、以て四角筒型材状に形成されている。
【０１０６】
また（ｅ）に示すビーム体１８１は、左右一対の縦板部１８２と、これら縦板部１８２の上下両端から左右の外方向でかつ上下に傾斜して伸びる傾斜板部１８３と、これら傾斜板部１８３の上端間および下端間に位置される上下一対の横板部１８４とからなり、以て筒型材状に形成されている。
【０１０７】
上記した実施の形態１〜６のように、型材状に形成した上位横行部材１２ならびに下位横行部材１３と、両横行部材１２，１３間に配置した複数の連結部材２４とによりトラス体１１を構成し、このトラス体１１を、長さ方向の両端部に設けた支持手段５１を介して固定部３，４，５側で支持するとともに、間隔Ｌを隔てて複数を配設し、隣接したトラス体１１間に複数のビーム体７１を架け渡して、この上方を床面９２ａとした構成によると、複数のトラス体１１を、その両端部に設けた支持手段５１を介して固定部３，４，５側に支持させていることで、固定部３，４，５側に対する支持箇所を最少数とし得るとともに、床面９２ａに掛かる振動をトラス体１１群により吸収して遮音効果を期待し得、しかも、型材状に形成した上位横行部材１２ならびに下位横行部材１３と、両横行部材１２，１３間に配置した複数の連結部材２４とによりトラス体１１を構成していることにより、全体を軽量化し得るとともに十分な強度を確保し得ることになる。
【０１０８】
上記した実施の形態１〜６のように、隣接したトラス体１１の上位横行部材１２間に亘って複数のビーム体７１を架け渡した構成によると、床装置１０の分解除去を容易に行える。
【０１０９】
上記した実施の形態１、２のように、支持手段５１を、梁５の上向き面５ａや床スラブ３の上面３ａに支持させた構成によると、載置支持形式により地震などの振動が梁５や床スラブ３側に伝わり難くし得る。
【０１１０】
上記した実施の形態３のように、支持手段５１を、側壁４側の横向き面４ａに設けた受け体１１を介して支持させた構成によると、梁５が形成されていない構造物２に対して容易に配設し得る。
【０１１１】
上記した実施の形態１〜３のように、トラス体１１の長さ方向の両端部に、側壁４側の横向き面４ａに対向する長さ方向規制手段６１を設け、この長さ方向規制手段６１を横向き面４ａに当接可能とした構成によると、長さ方向規制手段６１を側壁４の横向き面４ａに当接させることによって、トラス体１１の長さ方向の両端部の位置を固定状に規制して、固定化（ロック化）し得る。
【０１１２】
上記した実施の形態１〜３のように、トラス体１１の長さ方向の両端部に、側壁４側の横向き面４ａに対向する長さ方向規制手段６１を設け、この長さ方向規制手段６１はゴム板６５を介して横向き面４ａに当接可能に構成し、支持手段５１はゴム板５５を介して固定部３，５側で支持する構成によると、長さ方向規制手段６１のゴム板６５を側壁４の横向き面４ａに当接させることによって、弾性変形による緩衝作用を持たせて位置規制を行えるとともに、支持手段５１を、ゴム板５５を介して上向き面５ａに支持させていることで、その弾性変形による緩衝作用によって、荷重支持をスムースに行えることになる。
【０１１３】
上記した実施の形態１〜６のように、上位横行部材１２と下位横行部材１３は、相対向する一対の側板１４と、これら側板１４の外端間に直角状で位置する外板１５と、両側板１４の内端から相対向する方向に接近した左右一対の内板１６と、これら内板１６の内端から内方に延ばした左右一対の連結板１７とにより、両連結板１７間に挿入部１８を有する状態で型材状に形成するとともに、挿入部１８を上下方向において相対向して配置し、連結部材２４は傾斜状として、その端を挿入部１８に差し込んで連結具２８により連結板１７に連結した構成によると、全体を軽量化し得るとともに十分な強度を確保し得ることになる。
【０１１４】
上記した実施の形態１、２のように、上位横行部材１２に、矩形貫通孔状の係合部２０を長さ方向で所定間隔置きに複数形成し、ビーム体７１の両端に、係合部２０に対して上方向から係脱可能な連結部８１を設けた構成によると、上位横行部材１２に対するビーム体７１の配設、すなわち床装置１０の組み立てを容易に行えるとともに、上位横行部材１２からのビーム体７１の除去、すなわち床装置１０の分解を容易に行える。
【０１１５】
上記した実施の形態１、３〜６のように、共通の複数のトラス体１１を、長さ方向において直線状に位置し、相対向した端部間を接続手段３１，２０１，２１１により接続した構成によると、梁５間の長さに対応した長さのトラス体１１を、簡単かつ容易にして準備し得る。
【０１１６】
上記した実施の形態４〜６のように、複数のトラス体１１を長さ方向において直線状に位置させ、相対向した端部間を接続手段３１，２０１，２１１により接続し、連結部材１９１，２４Ａを、接続手段３１，２０１，２１１により接続したトラス体１１間に亘って、上位横行部材１２と下位横行部材１３との間に配置した構成によると、接続手段３１，２０１，２１１により接続したトラス体１１の端部間を、トラス体１１間に亘って上位横行部材１２と下位横行部材１３との間に配置した連結部材１９１，２４Ａにより強固に補強し得る。
【０１１７】
上記した実施の形態６のように、複数のトラス体１１を長さ方向において直線状に位置させ、相対向した端部間を接続手段２１１により接続し、この接続手段２１１を、上位横行部材１２の相対向された端部間を接続する上位接続体２１２と、下位横行部材１３の相対向された端部間を接続する下位接続体２１３とから構成し、上位接続体２１２と下位接続体２１３とを、トラス体１１の長さ方向において位置をずらせて配設した構成によると、上位横行部材１２の相対向した端部間を上位接続体２１２により接続し、下位横行部材１３の相対向した端部間を下位接続体２１３により接続することで、接続手段２１１によるトラス体１１の接続を、トラス体１１の長さ方向において位置をずらせた上下の２箇所で行うことになり、以て強度的に不利な接続箇所を長さ方向において分散させて、トラス体１１の端部間を容易にかつ強固に接続し得る。
【０１１８】
上記した実施の形態８のように、トラス体として、梁間の長さに対応してトラス幅が異なる複数種を準備し、選択して使用する構成によると、梁間の長さに対応した強度を有するトラス体１１を、簡単かつ容易にして準備し得る。
【０１１９】
上記した実施の形態１〜６のように、型材状に形成した上位横行部材１２ならびに下位横行部材１３と、両横行部材１２，１３間に配置した複数の連結部材２４とによりトラス体１１を構成し、このトラス体１１は間隔Ｌを隔てて複数を配設するとともに、隣接したトラス体１１間に亘って複数のビーム体７１を設け、この上方に床面９２ａを形成することで床装置１０を構成し、この床装置１０を多層階の各階において、トラス体１１の長さ方向の両端部のみに設けた支持手段５１を介して、小梁のない構造物２側で支持した構成によると、床装置１０を好適に採用した高層住宅１を提供し得、そして床装置１０を簡単かつ容易に分解して除去し得、その際に構造物２は梁５のみなどで、邪魔となり易い小梁がないことから、後のリフォームは、制約されることなく十分な自由度を持って行える。
【０１２０】
上記した実施の形態１〜６では、隣接されるトラス体１１の上位横行部材１２間に亘って複数のビーム体７１が架け渡される形式が示されているが、これは下位横行部材１３間に亘って複数のビーム体７１が架け渡される形式などであってもよい。
【０１２１】
上記した実施の形態１〜３では、トラス体１１の長さ方向の両端部に、側壁４側の横向き面４ａに対向する長さ方向規制手段６１が設けられた形式が示されているが、これは長さ方向規制手段６１が省略された形式などであってもよい。
【０１２２】
上記した実施の形態１〜３では、長さ方向規制手段６１はゴム板（緩衝部材）６５を介して横向き面４ａに当接可能とされ、支持手段５１はゴム板（緩衝部材）５５を介して固定部３，５側で支持される形式が示されているが、これはゴム板（緩衝部材）６５，５５のうち、いずれか一方のみが介在された形式、両緩衝手段ゴム板６５，５５ともに省略された形式などであってもよい。
【０１２３】
上記した実施の形態１〜３では、上位横行部材１２に、矩形貫通孔状の係合部２０が長さ方向で所定間隔置きに複数形成され、ビーム体７１の両端に、係合部２０に対して上方向から係脱可能な連結部８１が設けられた形式が示されているが、これは側方向から係脱可能な連結部が設けられた形式などであってもよい。
【０１２４】
上記した実施の形態１、３では、床スラブ３の上面３ａと床板９２の下面９２ｂとの間に、梁５の高さに相当する収納スペースＳが形成されているが、これは収納スペースが形成されない構成であってもよい。
【０１２５】
上記した実施の形態１〜３では、接続手段３１として、両横行部材１２，１３の内部間に位置される縦方向部材３２を有する形式が示されているが、これは両横行部材１２，１３とを、外方に位置される縦方向部材を有する接続手段により接続する形式などであってもよい。また実施の形態４において、接続手段３１の縦方向部材３２と連結部材１９１との断面位置関係が逆となった形式などであってもよい。
【０１２６】
上記した実施の形態１〜３では、床装置１０が組み込まれた高層住宅１が示されているが、これは通常の住宅に床装置１０を組み込んだ形式などであってもよい。
【図面の簡単な説明】
【０１２７】
【図１】本発明の実施の形態１を示し、床装置を組み込んだ高層住宅における床装置の要部の一部切り欠き斜視図である。
【図２】同床装置を組み込んだ高層住宅における一部切り欠き側面図である。
【図３】同床装置を組み込んだ高層住宅における概略平面図である。
【図４】同床装置を組み込んだ高層住宅における床装置の要部の側面図である。
【図５】同装置を組み込んだ高層住宅における床装置の要部の平面図である。
【図６】同床装置における接続手段部分の正面図である。
【図７】同床装置における端部連結手段部分の正面図である。
【図８】同床装置におけるビーム体架け渡し部分の正面図である。
【図９】本発明の実施の形態２を示し、床装置を組み込んだ高層住宅における一部切り欠き側面図である。
【図１０】本発明の実施の形態３を示し、床装置を組み込んだ高層住宅における床装置の要部の側面図である。
【図１１】同床装置を組み込んだ高層住宅における一部切り欠き側面図である。
【図１２】同床装置における端部連結手段部分の正面図である。
【図１３】本発明の実施の形態４を示し、床装置を組み込んだ高層住宅における床装置の要部の側面図である。
【図１４】同図１３におけるＡ−Ａ矢視図である。
【図１５】本発明の実施の形態５を示し、床装置を組み込んだ高層住宅における床装置の要部の側面図である。
【図１６】同図１５におけるＢ−Ｂ矢視図である。
【図１７】本発明の実施の形態６を示し、床装置を組み込んだ高層住宅における床装置の要部の側面図である。
【図１８】同図１７におけるＣ−Ｃ矢視図である。
【図１９】本発明の実施の形態７を示し、床装置におけるトラス体の種々なパターンを説明する要部の概略側面図である。
【図２０】本発明の実施の形態８を示し、床装置における横行部材の種々な形状の正面図である。
【図２１】本発明の実施の形態９を示し、建物の床装置におけるビーム体の種々な形状の正面図である。
【符号の説明】
【０１２８】
１    高層住宅
２    構造物
３    床スラブ（固定部）
３ａ  上面（上向き面）
４    側壁（固定部）
４ａ  横向き面
５    梁（固定部）
５ａ  上向き面
１０    床装置
１１    トラス体
１２    上位横行部材
１３    下位横行部材
１４    側板
１５    外板
１６    内板
１７    連結板
１８    挿入部
１９    凹入部
２０    係合部
２４    連結部材
２４Ａ  連結部材
２８    ボルト・ナット（連結具）
３１    接続手段
３２    縦方向部材
３４    連結用型板
３７    ボルト・ナット（連結具）
３８    ボルト・ナット（連結具）
４１    端部連結手段
４２    外枠部
４３    内板部
４５    挿入部
４９    ボルト・ナット（連結具）
５１    支持手段
５２    着床体
５３    ボルト体
５４    ナット体
５５    ゴム板（緩衝部材）
６１    長さ方向規制手段
６２    当接体
６３    ボルト体
６４    ナット体
６５    ゴム板（緩衝部材）
７１    ビーム体
８１    連結部
８１ａ  係合部分
８２    連結用型板
９１    根太材
９２    床板
９２ａ  床面
１０１  端部連結手段
１０２  外枠部
１０３  内板部
１０６  挿入部
１１１  受け体
１１２  枠部
１１４  凹部
１１６  ボルト・ナット（連結具）
１１９  連結具
１２１  横行部材
１２２  側板
１２３  外板
１２４  内板
１２５  連結板
１２６  挿入部
１３１  横行部材
１３２  側板
１３３  外板
１３４  内板
１３５  連結板
１３６  挿入部
１３７  凹入部
１４１  ビーム体
１５１  ビーム体
１６１  ビーム体
１７１  ビーム体
１８１  ビーム体
１９１  連結部材
２０１  接続手段
２０２  上位接続体
２０３  下位接続体
２１１  接続手段
２１２  上位接続体
２１３  下位接続体
Ｌ    間隔
Ｓ    収納スペース（空間）
Ｗ１  トラス幅
Ｗ２  トラス幅
【図１】
2004162520.tif 000003
【図２】
2004162520.tif 000004
【図３】
2004162520.tif 000005
【図４】
2004162520.tif 000006
【図５】
2004162520.tif 000007
【図６】
2004162520.tif 000008
【図７】
2004162520.tif 000009
【図８】
2004162520.tif 000010
【図９】
2004162520.tif 000011
【図１０】
2004162520.tif 000012
【図１１】
2004162520.tif 000013
【図１２】
2004162520.tif 000014
【図１３】
2004162520.tif 000015
【図１４】
2004162520.tif 000016
【図１５】
2004162520.tif 000017
【図１６】
2004162520.tif 000018
【図１７】
2004162520.tif 000019
【図１８】
2004162520.tif 000020
【図１９】
2004162520.tif 000021
【図２０】
2004162520.tif 000022
【図２１】
2004162520.tif 000023